(57)【特許請求の範囲】
【請求項１】
汚物を受けるボウル部の底部に形成された排出口に連通して斜め上方に向かう上昇管路部と、前記上昇管路部を通過した洗浄水を外部の排出管に導くために前記上昇管路部の頂上部から下流側に向かって下方に屈曲した下流管路部とから成るトラップ部と、前記上昇管路部の下流側に向かって洗浄水を噴射するジェット孔を有するジェット部と、を備えた水洗式便器において、
前記ジェット孔から噴射した洗浄水のうちで前記トラップ部に衝突した後に前記排出口に向かう洗浄水の流れを阻害するために前記上昇管路部の頂上部またはその近傍の内壁に設けられた段部で形成される返り水阻害手段を有し、
前記段部は、前記トラップ部の円周方向の内壁に沿って略逆Ｕ字状に内壁から突出して設けられた突起によって形成されていることを特徴とする水洗式便器。
【請求項２】
前記突起の下流側の立壁である第一立壁を、前記突起の下流側のトラップ部の内壁との角度が９０度以下となるよう形成されていることを特徴とする請求項１記載の水洗式便器。
【請求項３】
前記突起の上流側の立壁である第二立壁の長さが、前記突起の下流側の立壁である第一立壁の長さの２倍以上であることを特徴とする請求項１または２に記載の水洗式便器。
【請求項４】
前記突起をトラップ部とは別体として備えることを特徴とする請求項１から３のいずれか１項に記載の水洗式便器。
【請求項５】
汚物を受けるボウル部の底部に形成された排出口に連通して斜め上方に向かう上昇管路部と、前記上昇管路部を通過した洗浄水を外部の排出管に導くために前記上昇管路部の頂上部から下流側に向かって下方に屈曲した下流管路部とから成るトラップ部と、前記上昇管路部の下流側に向かって洗浄水を噴射するジェット孔を有するジェット部と、を備えた水洗式便器において、
前記ジェット孔から噴射した洗浄水のうちで前記トラップ部に衝突した後に前記排出口に向かう洗浄水の流れを阻害するために前記上昇管路部の頂上部またはその近傍の内壁に設けられた段部で形成される返り水阻害手段を有し、
前記段部は、前記上昇管路部の頂上部において流路の断面積が小さい上昇管路部と断面積が大きい下降管路部とを連結する連結部に、前記トラップ部の円周方向の内壁に沿って略逆Ｕ字状に設けられていることを特徴とする水洗式便器。
【請求項６】
前記段部を、前記連結部の下流側のトラップ部の内壁との角度が９０度以下となるよう形成したことを特徴とする請求項５記載の水洗式便器。
【請求項７】
前記段部に衝突した洗浄水を前記下流管路部に誘導する誘導手段を、前記段部に連結して設けたことを特徴とする請求項１から６のいずれか１項に記載の水洗式便器。
【請求項８】
前記誘導手段は、前記段部に衝突した洗浄水を前記トラップ部の円周方向の内周に沿って流す棚部を設けたことを特徴とする請求項７記載の水洗式便器。
【請求項９】
前記棚部には、その端部からトラップ部の内壁方向へ突出する縁部を設けたことを特徴とする請求項８記載の水洗式便器。
【請求項１０】
前記誘導手段は、前記段部に衝突した洗浄水を流す通路部を、前記ジェット孔から噴射した洗浄水が衝突するトラップ部の内壁より外側に設けたことを特徴とする請求項７記載の水洗式便器。
【請求項１１】
前記下流管路部は、前記段部を含む下降管路部分を別体として備え、前記別体の下降管路部分を前記上昇管路部の一端に装着して形成したことを特徴とする請求項１から１０のいずれか１項に記載の水洗式便器。
【発明の詳細な説明】
【０００１】
【発明の属する技術分野】
本発明は、水洗式便器のトラップ部およびジェット部の改良に関する。
【０００２】
【従来の技術】
従来のサイホンジェット式便器は、ジェット部のジェット孔から洗浄水をトラップ部の上昇管路に向けて噴射して、トラップ部にサイホン作用を発生させて、ボウル部の汚物や汚水をトラップ部の下降管路へ排出させる。これをサイホン誘発作用と呼ぶことにする。
そして、サイホン誘発作用後には、ボウル部の底部に残留した浮遊汚物などを含む汚水をジェット孔から噴射させた洗浄水で巻き込んでトラップ部に排出させる。これを残留汚水排出作用と呼ぶことにする。
このように、従来のサイホンジェット式便器は、ジェット部にサイホン誘発作用および残留汚物排出作用の二つの作用をもたせていた。
【０００３】
【発明が解決しようとする課題】
しかし、従来のサイホンジェット式便器は、残留汚水排出作用時に、▲１▼ジェット孔から噴射した洗浄水がトラップ部に衝突する際、および▲２▼トラップ部に衝突した後にジェット部の近傍まで戻ってくる洗浄水である返り水をジェット部で巻き込む際、に大きな騒音を発生していた。
そして、衝突時の騒音は、ジェット孔からの洗浄水噴射を乱れの少ない整流に近づける整流化噴射をしたほうが低減できるが、整流化噴射した洗浄水は衝突後にトラップ部の内壁に沿って流れるために、ジェット孔から噴射した洗浄水のうちでトラップ部に衝突した後にジェット部の近傍に戻る洗浄水である返り水の量が比較的多くなり、その結果として巻き込み時の騒音が大きかった。
本発明は、このような課題を解決するためになされたもので、その目的は、サイホン作用発生能力を低下させることなく、サイホン作用発生後の残留汚水排出作用時の騒音を低減させる水洗式便器を提供するものである。
【０００７】
【課題を解決するための手段およびその作用・効果】
請求項１記載の水洗式便器は、汚物を受けるボウル部の底部に形成された排出口に連通して斜め上方に向かう上昇管路部と、前記上昇管路部を通過した洗浄水を外部の排出管に導くために前記上昇管路部の頂上部から下流側に向かって下方に屈曲した下流管路部とから成るトラップ部と、前記上昇管路部の下流側に向かって洗浄水を噴射するジェット孔を有するジェット部と、を備えた水洗式便器において、
前記ジェット孔から噴射した洗浄水のうちで前記トラップ部に衝突した後に前記排出口に向かう洗浄水の流れを阻害するために前記上昇管路部の頂上部またはその近傍の内壁に設けられた段部で形成される返り水阻害手段を有し、
前記段部は、前記トラップ部の円周方向の内壁に沿って略逆Ｕ字状に内壁から突出して設けられた突起によって形成されていることを特徴とする。本発明によれば、ジェット孔から噴射した洗浄水のうちでトラップ部に衝突した後に、扇形状に広がりトラップ部の内壁に沿って流れて排出口に向かう洗浄水である返り水を、トラップ部の内壁に略逆Ｕ字状に設けた突起に衝突させることによって、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。また、略逆Ｕ字状に突起を設けることで、トラップ部の流路の断面積の変化を少なくすることができ、サイホン作用発生時において、サイホン作用の発生を妨げることを少なくすることができる。
【０００８】
また、請求項２記載の水洗式便器は、請求項１記載の水洗式便器において、前記突起の下流側の立壁である第一立壁を、前記突起の下流側のトラップ部の内壁との角度が９０度以下となるよう形成されていることを特徴とする。本発明によれば、突起の下流側の立壁である第一立壁を、前記突起の下流側のトラップ部の内壁との角度が９０度以下に形成することで、返り水が突起を乗り越えて排出口に達することを防ぐことができ、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。
【０００９】
また、請求項３記載の水洗式便器は、請求項１または２記載の水洗式便器において、前記突起の上流側の立壁である第二立壁の長さが、前記第一立壁の長さの２倍以上であることを特徴とする。本発明によれば、排出口から突起の第一立壁までの流路の断面積を緩やかに変化させることができ、サイホン作用発生時において、汚物や汚水の流れが突起によって妨げられることを少なくすることができる。
【００１０】
また、請求項４記載の水洗式便器は、請求項１から３のいずれか記載の水洗式便器において、前記突起をトラップ部とは別体として備えることを特徴とする。本発明によれば、陶器製である便器本体のトラップ部については単純な管路を有するだけの形状にできるので、便器本体にあっては既存のものをそのまま利用でき、製造上有益である。また、別体とする突起は、陶器製であってもよいし、樹脂等の別部材から形成したものでもよい。
【００１２】
また、請求項５記載の水洗式便器は、汚物を受けるボウル部の底部に形成された排出口に連通して斜め上方に向かう上昇管路部と、前記上昇管路部を通過した洗浄水を外部の排出管に導くために前記上昇管路部の頂上部から下流側に向かって下方に屈曲した下流管路部とから成るトラップ部と、前記上昇管路部の下流側に向かって洗浄水を噴射するジェット孔を有するジェット部と、を備えた水洗式便器において、
前記ジェット孔から噴射した洗浄水のうちで前記トラップ部に衝突した後に前記排出口に向かう洗浄水の流れを阻害するために前記上昇管路部の頂上部またはその近傍の内壁に設けられた段部で形成される返り水阻害手段を有し、前記段部は、前記上昇管路部の頂上部において流路の断面積が小さい上昇管路部と断面積が大きい下降管路部とを連結する連結部に前記トラップ部の円周方向の内壁に沿って略逆Ｕ字状に設けられていることを特徴とする。本発明によれば、ジェット孔から噴射した洗浄水のうちでトラップ部に衝突した後に、扇形状に広がりトラップ部の内壁に沿って流れて排出口に向かう洗浄水である返り水を、トラップ部の内壁に略逆Ｕ字状に設けた連結部に衝突させることによって、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。また、略逆Ｕ字状に連結部を設けることで、トラップ部の流路の断面積の変化を少なくすることができ、サイホン作用発生時において、サイホン作用の発生を妨げることを少なくすることができる。
【００１３】
また、請求項６記載の水洗式便器は、請求項５記載の水洗式便器において、前記連結部を、前記連結部の下流側のトラップ部の内壁との角度が９０度以下となるよう形成されていることを特徴とする。本発明によれば、連結部を、連結部の下流側のトラップ部の内壁との角度が９０度以下に形成して設けることによって、返り水が連結部を乗り越えて排出口に達することを防ぐことができ、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。
【００１５】
また、請求項７記載の水洗式便器は、請求項１から６のいずれか記載の水洗式便器において、前記段部に衝突した洗浄水を前記下流管路部に誘導する誘導手段を、前記段部に連結して設けたことを特徴とする。本発明によれば、段部に連結して設けた誘導手段によって段部に衝突した洗浄水を効率的に下流管路部に誘導することができ、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。
【００１６】
また、請求項８記載の水洗式便器は、請求項７記載の水洗式便器において、前記誘導手段は、前記段部に衝突した洗浄水を前記トラップ部の円周方向の内周に沿って流す棚部を設けたことを特徴とする。本発明によれば、段部に衝突した洗浄水を、段部に連結して設けた棚部に流すことができ、効率的に下流管路部に誘導することができ、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。
【００１７】
また、請求項９記載の水洗式便器は、請求項８記載の水洗式便器において、前記棚部には、その端部からトラップ部の内壁方向へ突出する縁部を設けたことを特徴とする。本発明によれば、棚部を流れる洗浄水を、縁部を設けた棚部から落ちることなく流すことができ、効率的に下流管路部に誘導することができ、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。
【００１８】
また、請求項１０記載の水洗式便器は、請求項７記載の水洗式便器において、前記誘導手段は、前記段部に衝突した洗浄水を流す通路部を、前記ジェット孔から噴射した洗浄水が衝突するトラップ部の内壁より外側に設けたことを特徴とする。本発明によれば、段部に衝突した洗浄水を、トラップ部の内壁より外側に設けた通路部に流すことで、下流管路部に誘導することができ、排出口に向かう返り水の量を効率良く低減することができ、ジェット孔から噴射した洗浄水が、ジェット孔近傍に滞留した汚水を含む洗浄水や返り水を巻き込む際の巻き込み音を低減させることができる。また、通路部をジェット孔から噴射した洗浄水が衝突するトラップ部の内壁より外側に設けるので、サイホン作用発生時において、汚物や汚水の流れを妨げることを少なくすることができる。
【００１９】
また、請求項１１記載の水洗式便器は、請求項１から１０のいずれか記載の水洗式便器において、前記下流管路部は、前記段部を含む下降管路部分を別体として備え、前記別体の下降管路部分を前記上昇管路部の一端に装着して形成したことを特徴とする。本発明によれば、陶器製である便器本体のトラップ部については単純な管路を有するだけの形状にできるので、便器本体にあっては既存のものをそのまま利用でき、製造上有益である。また、別体とする下降管路部は、陶器製であってもよいし、樹脂等の別部材から形成したものでもよい。
【００２５】
【発明の実施の形態】
以下、図面にそって本発明に係る実施例を説明する。
図１は、本発明の残留汚水排出作用時の騒音を低減する機構を設けたサイホンジェット式便器の一実施形態を示す縦断面の説明図である。
【００２６】
図１において、サイホンジェット式便器１は、ボウル部２とトラップ部３とジェット部４を有する。
トラップ部３は、ボウル部２の底部に形成された排出口５に連通して上昇管路を有する上昇管路部６と、上昇管路部６を通過した洗浄水を外部の排出管に導くために、上昇管路の頂上部７から下流側に向かって下方に屈曲した下降管路を有する下流管路部８とを連結してなる。
給水管９は分岐してリム給水制御部１０およびジェット給水制御部１１の一端に接続し、リム給水制御部１０の他端はリム給水管１２を介してリム通水路１３へ接続する。ジェット制御部１１の他端はジェット給水管１４を介して、ボウル部２の底部に設けられたジェット部４へ接続する。
【００２７】
また、リム給水制御部１０とジェット制御部１１に起動入力を与える操作部１５を備える。
操作部１５からの起動入力信号が与えられるとリム給水制御部１０を開弁状態に駆動する。これにより、洗浄水がリム給水管１２を介してリム通水路１３からボウル部２へ供給され、ボウル部２の壁面を洗浄する。
所定時間経過後、リム給水制御部１０を閉弁状態に駆動するとともに、ジェット給水制御部１１を開弁状態に駆動する。これにより洗浄水がジェット給水管１４を介してジェット部４のジェット孔１６からトラップ部３へ向けて噴射される。この洗浄水は頂上部７を超えて下流管路部８へ流れ、さらに流出口１７から排出されるが、この際トラップ部３に生じる負圧によってトラップ部３内にサイホン状態が発生し、ボウル部２内の汚物・汚水の排出が開始される。このサイホン状態は封水面が隔壁１８の下端１８ａより低下しトラップ部３内へ空気が流入した時点で終了する。
【００２８】
サイホン状態が停止した後においては、ボウル部２の底部に残留した浮遊汚物などを含む汚水をジェット孔１６から噴射させた洗浄水で巻き込んでトラップ部３に排出する。ジェット孔１６から噴射した洗浄水の流れを模式的に矢印で示す。
この残留汚水排出作用時には、主に▲１▼ジェット孔から噴射した洗浄水がトラップ部に衝突する際、および▲２▼トラップ部に衝突した後にジェット部の近傍まで戻ってくる洗浄水である返り水をジェット部で巻き込む際、に騒音を発生する。
ジェット孔１６から噴射する洗浄水を整流する整流手段をジェット部４に設けて、衝突時の騒音を低減する。
また、ジェット孔１６から噴射した洗浄水のうちでトラップ部３に衝突した後に排出口５に向かう洗浄水の流れを阻害する返り水阻害手段をトラップ部３に設けて、巻き込み時の騒音を低減する。
【００２９】
本実施例では、返り水阻害手段として、ジェット孔１６から噴射した洗浄水が衝突するトラップ部３より上流側であり、かつ頂上部７の近傍であるトラップ部３の内壁に段部１９を設ける。これにより、ジェット孔１６から噴射した洗浄水のうちでトラップ部３に衝突した後にトラップ部３の内壁に沿って排出口５に向かう洗浄水を段部１９に衝突させて、下流管路部８に排出することができ、ジェット部４の近傍まで戻ってくる返り水の量を低減して、巻き込み時の騒音を低減する。
これにより、残留汚水排出作用時の騒音を著しく低減することができる。
なお、図１においては、床排水式便器における一実施形態を説明したが、図２のような壁排水式便器でも構わない。
【００３０】
本発明の返り水量低減用の突起を略環状に設けたトラップ部の一実施形態を示す斜視図とともに示した説明図を図３に示し、縦断面図とともに示した説明図を図４に示す。また、図４のＡ−Ａ線の断面図を図５に示す。
ジェット孔から噴射した洗浄水が衝突する位置であるトラップ部より上流側であり、かつ頂上部７の近傍であるトラップ部の内壁に、略環状に突起３１をトラップ部３の内壁に設ける。これにより、ジェット孔から噴射した洗浄水のうちでトラップ部に衝突した後にトラップ部の内壁に沿って排出口に向かう洗浄水を突起３１に衝突させて、下流管路部８に排出することができ、ジェット部の近傍まで戻ってくる返り水の量を低減して、巻き込み時の騒音を低減する。
【００３１】
本発明の返り水量低減用の突起を略逆Ｕ字状に設けたトラップ部の一実施形態を示す斜視図とともに示した説明図を図６に示し、縦断面図とともに示した説明図を図７に示す。また、図７のＢ−Ｂ線の断面図を図８に示す。
ジェット孔から噴射した洗浄水が衝突する位置であるトラップ部より上流側であり、かつ頂上部の近傍であるトラップ部の内壁に、略逆Ｕ字状に突起３１をトラップ部の内壁に設ける。これにより、ジェット孔から噴射した洗浄水のうちでトラップ部に衝突した後にトラップ部の内壁に沿って排出口に向かう洗浄水を突起３１に衝突させて、下流管路部に排出することができ、ジェット部の近傍まで戻ってくる返り水の量を低減して、巻き込み時の騒音を低減する。
【００３２】
本発明の返り水量低減用の突起を設けたトラップ部の一実施形態を示す縦断面図とともに示した説明図を図９に示す。
突起３１の下流側の立壁である第一立壁３２を、突起の下流側のトラップ部の内壁との角度が９０度以下に形成して設ける。また、突起の上流側の立壁である第二立壁３３の長さを、第一立壁３２の長さの２倍以上に形成して設ける。
【００３３】
本発明の返り水量低減用の連結部を略環状に設けたトラップ部の一実施形態を示す斜視図とともに示した説明図を図１０に示し、縦断面図とともに示した説明図を図１１に示す。また、図１１のＣ−Ｃ線の断面図を図１２に示す。
上流側の流路の断面積が大きい管路と下流側の流路の断面積が小さい管路とを連結する連結部４１を、ジェット孔から噴射した洗浄水が衝突する位置であるトラップ部より上流側に略環状に設ける。これにより、ジェット孔から噴射した洗浄水のうちでトラップ部に衝突した後にトラップ部の内壁に沿って排出口に向かう洗浄水を連結部４１に衝突させて、下流管路部８に排出することができ、ジェット部の近傍まで戻ってくる返り水の量を低減して、巻き込み時の騒音を低減する。
【００３４】
本発明の返り水量低減用の連結部を略逆Ｕ字状に設けたトラップ部の一実施形態を示す斜視図とともに示した説明図を図１３に示し、縦断面図とともに示した説明図を図１４に示す。また、図１４のＤ−Ｄ線の断面図を図１５に示す。
上流側の流路の断面積が大きい管路と下流側の流路の断面積が小さい管路とを連結する連結部４１を、ジェット孔から噴射した洗浄水が衝突する位置であるトラップ部より上流側に略逆Ｕ字状に設ける。これにより、ジェット孔から噴射した洗浄水のうちでトラップ部に衝突した後にトラップ部の内壁に沿って排出口に向かう洗浄水を連結部４１に衝突させて、下流管路部８に排出することができ、ジェット部の近傍まで戻ってくる返り水の量を低減して、巻き込み時の騒音を低減する。
【００３５】
本発明の返り水量低減用の連結部を設けたトラップ部の一実施形態を示す縦断面図とともに示した説明図を図１６に示す。
連結部４１を、連結部の下流側のトラップ部の内壁との角度θが９０度以下に形成して設ける。
【００３６】
本発明の誘導手段である棚部を略環状に連結部に設けたトラップ部の一実施形態を示す斜視図とともに示した説明図を図１７に示し、縦断面図とともに示した説明図を図１８に示す。また、図１８のＥ−Ｅ線の断面図を図１９に、Ｆ−Ｆ線の断面図を図２０に示す。
上流側の流路の断面積が大きい管路と下流側の流路の断面積が小さい管路とを連結する連結部４１を、ジェット孔から噴射した洗浄水が衝突する位置であるトラップ部より上流側に略環状に設ける。連結部４１の内周に棚部４２を略環状に設ける。これにより、ジェット孔から噴射した洗浄水のうちでトラップ部に衝突した後にトラップ部の内壁に沿って排出口に向かう洗浄水を連結部４１に衝突させた後に、棚部４２に沿って流すことで、下流管路部８に排出することができ、ジェット部の近傍まで戻ってくる返り水の量を低減して、巻き込み時の騒音を低減する。
なお、棚部は、連結部の内周に略逆Ｕ字状に設けても構わない。
【００３７】
本発明の誘導手段である縁部を略環状に棚部に設けたトラップ部の一実施形態を示す斜視図とともに示した説明図を図２１に示し、縦断面図とともに示した説明図を図２２に示す。また、図２２のＧ−Ｇ線の断面図を図２３に示す。
棚部４２の下流側に縁部４３を略環状に設けることで、棚部４２を流れる洗浄水を、縁部４３を設けた棚部４２から落ちることなく流すことができ、棚部４２から落ちた返り水とジェット孔から噴射された洗浄水が衝突することを防ぐことができ、排出口に向かう返り水の量を効率良く低減して、巻き込み時の騒音を低減する。
なお、縁部は、棚部の下流側に略逆Ｕ字状に設けても構わない。
【００３８】
本発明の誘導手段である通水路をトラップ部の内壁より外側に設けたトラップ部の一実施形態を示す斜視図とともに示した説明図を図２４に示し、縦断面図とともに示した説明図を図２５に示す。また、図２５のＨ−Ｈ線の断面図を図２６に、Ｉ−Ｉ線の断面図を図２７に示す。
誘導手段である通水路４４の入口４５を、ジェット孔から噴射した洗浄水が衝突するトラップ部より上流側に略逆Ｕ字状に設ける。また、通水路の出口４６を、ジェット孔から噴射した洗浄水が衝突するトラップ部より下流側に略逆Ｕ字状に設ける。
ジェット孔から噴射した洗浄水のうちでトラップ部に衝突した後にトラップ部の内壁に沿って排出口に向かう洗浄水を通水路４４の入口４５に設けた段部４６に衝突させて、通水路４４に導いて、下流管路部８に連通する出口４６から排出する。
【００３９】
本発明の整流手段の第一の実施形態では、図２８に示すようにジェットノズル５１の内部流路が直管であり吐出径φに対して３倍以上の長さＬを有する助走区間をもつことで、洗浄水が整流され、衝突音が低減される。
【００４０】
本発明の整流手段の第二の実施形態では、図２９に示すようにジェットノズル５１の内部流路が出口に向かって徐々に絞られていることで、洗浄水が整流され、衝突音が低減される。
【００４１】
本発明の整流手段の第三の実施形態では、図３０に示すようにジェットノズル５１の内部流路内に流路に対して平行に設置された整流板５２をもつことで、洗浄水が整流され、衝突音が低減される。本実施例ではジェットノズル５１内に整流板５２を設置しているが、ジェット給水管内に設置してもよい。
【００４２】
本発明の整流手段の第四の実施形態では、図３１に示すようにジェットノズル５１の内部流路内に流路に対して平行に設置された整流網５３をもつことで、洗浄水が整流され、衝突音が低減される。本実施例ではジェットノズル５１内に整流網５３を設置しているが、ジェット給水管内に設置してもよい。
【図面の簡単な説明】
【図１】図１は、本発明の残留汚水排出作用時の騒音を低減する機構を設けたサイホンジェット式便器の一実施形態を示す縦断面の説明図である。
【図２】図２は、本発明の残留汚水排出作用時の騒音を低減する機構を設けた壁排水式便器の一実施形態を示す縦断面の説明図である。
【図３】図３は、本発明の返り水量低減用の突起を略環状に設けたトラップ部の一実施形態を示す斜視図とともに示した説明図である。
【図４】図４は、本発明の返り水量低減用の突起を略環状に設けたトラップ部の一実施形態を示す縦断面図とともに示した説明図である。
【図５】図５は、図４のＡ−Ａ線の断面図である。
【図６】図６は、本発明の返り水量低減用の突起を略逆Ｕ字状に設けたトラップ部の一実施形態を示す斜視図とともに示した説明図である。
【図７】図７は、本発明の返り水量低減用の突起を略逆Ｕ字状に設けたトラップ部の一実施形態を示す縦断面図とともに示した説明図である。
【図８】図８は、図７のＢ−Ｂ線の断面図である。
【図９】図９は、本発明の返り水量低減用の突起を設けたトラップ部の一実施形態を示す縦断面図とともに示した説明図である。
【図１０】図１０は、本発明の返り水量低減用の連結部を略環状に設けたトラップ部の一実施形態を示す斜視図とともに示した説明図である。
【図１１】図１１は、本発明の返り水量低減用の連結部を略環状に設けたトラップ部の一実施形態を示す縦断面図とともに示した説明図である。
【図１２】図１２は、図１１のＣ−Ｃ線の断面図である。
【図１３】図１３は、本発明の返り水量低減用の連結部を略逆Ｕ字状に設けたトラップ部の一実施形態を示す斜視図とともに示した説明図である。
【図１４】図１４は、本発明の返り水量低減用の連結部を略逆Ｕ字状に設けたトラップ部の一実施形態を示す縦断面図とともに示した説明図である。
【図１５】図１５は、図１４のＤ−Ｄ線の断面図である。
【図１６】図１６は、本発明の返り水量低減用の連結部を設けたトラップ部の一実施形態を示す縦断面図とともに示した説明図である。
【図１７】図１７は、本発明の誘導手段である棚部を略環状に連結部に設けたトラップ部の一実施形態を示す斜視図とともに示した説明図である。
【図１８】図１８は、本発明の誘導手段である棚部を略環状に連結部に設けたトラップ部の一実施形態を示す縦断面図とともに示した説明図である。
【図１９】図１９は、図１８のＥ−Ｅ線の断面図である。
【図２０】図２０は、図１８のＦ−Ｆ線の断面図である。
【図２１】図２１は、本発明の誘導手段である縁部を略環状に棚部に設けたトラップ部の一実施形態を示す斜視図とともに示した説明図である。
【図２２】図２２は、本発明の誘導手段である縁部を略環状に棚部に設けたトラップ部の一実施形態を示す縦断面図とともに示した説明図である。
【図２３】図２３は、図２２のＧ−Ｇ線の断面図である。
【図２４】図２４は、本発明の誘導手段である通水路をトラップ部の内壁より外側に設けたトラップ部の一実施形態を示す斜視図とともに示した説明図である。
【図２５】図２５は、本発明の誘導手段である通水路をトラップ部の内壁より外側に設けたトラップ部の一実施形態を示す縦断面図とともに示した説明図である。
【図２６】図２６は、図２５のＨ−Ｈ線の断面図である。
【図２７】図２７は、図２５のＩ−Ｉ線の断面図である。
【図２８】図２８は、本発明の整流手段の第一の実施形態に係わるものであって、整流機構の横断面図および縦断面図である。
【図２９】図２９は、本発明の整流手段の第二の実施形態に係わるものであって、整流機構の横断面図および縦断面図である。
【図３０】図３０は、本発明の整流手段の第三の実施形態に係わるものであって、整流機構の横断面図および縦断面図である。
【図３１】図３１は、本発明の整流手段の第四の実施形態に係わるものであって、整流機構の横断面図および縦断面図である。
【符号の説明】
１…サイホンジェット式便器
１ａ…壁排水式便器
２…ボウル部
３…トラップ部
４…ジェット部
５…排出口
６…上昇管路部
７…頂上部
８…下流管路部
９…給水管
１０…リム給水制御部
１１…ジェット給水制御部
１２…リム給水管
１３…リム通水路
１４…ジェット給水管
１５…操作部
１６…ジェット孔
１７…流出口
１８…隔壁
１８ａ…下端
１９…段部
３１…突起
３２…第一立壁
３３…第二立壁
４１…連結部
４２…棚部
４３…縁部
４４…通水路
４５…入口
４６…出口
５１…ジェットノズル
５２…整流板
５３…整流網
ｊ…ジェット孔から噴射した洗浄水の流れの模式図
【図１】
0004636424.tif 000002
【図２】
0004636424.tif 000003
【図３】
0004636424.tif 000004
【図４】
0004636424.tif 000005
【図５】
0004636424.tif 000006
【図６】
0004636424.tif 000007
【図７】
0004636424.tif 000008
【図８】
0004636424.tif 000009
【図９】
0004636424.tif 000010
【図１０】
0004636424.tif 000011
【図１１】
0004636424.tif 000012
【図１２】
0004636424.tif 000013
【図１３】
0004636424.tif 000014
【図１４】
0004636424.tif 000015
【図１５】
0004636424.tif 000016
【図１６】
0004636424.tif 000017
【図１７】
0004636424.tif 000018
【図１８】
0004636424.tif 000019
【図１９】
0004636424.tif 000020
【図２０】
0004636424.tif 000021
【図２１】
0004636424.tif 000022
【図２２】
0004636424.tif 000023
【図２３】
0004636424.tif 000024
【図２４】
0004636424.tif 000025
【図２５】
0004636424.tif 000026
【図２６】
0004636424.tif 000027
【図２７】
0004636424.tif 000028
【図２８】
0004636424.tif 000029
【図２９】
0004636424.tif 000030
【図３０】
0004636424.tif 000031
【図３１】
0004636424.tif 000032